(57)【要約】【課題】本発明は頭蓋骨固定装置及びその手術用具を提供する。【解決手段】頭蓋骨固定装置は下部締め付け部品と可動式ホック部品からなり、下部締め付け部品は内部に第一接合部のボルトを備え、可動式ホック部品は上部締め付け部品とナットからなり内部に第一枢接部の嵌込み部を備え、ナットはボルトと螺合され、上端に第一固定部が、外表面に第一枢接部と接合された第二枢接部が設けられる。手術道具は外スリーブと内ガイドレバーからなり、外スリーブの下端にナットで第一固定部と接合された第二固定部が、内ガイドレバーの下端にボルト第一接合部と接合された第二接合部が、内ガイドレバーと外スリーブの上端に第三接合部と第四接合部が設けられる。可動式ホック部品を外スリーブに固定する時、頭骨外表面の間に一定の距離を設けると、固定装置と手術道具を迅速に組み立て、片手で外スリーブを回すだけで、速く効率的に埋込取出しができ、操作上便利且つ先進的である。【選択図】図１
2018171442.tif 000002
【特許請求の範囲】
【請求項１】
少なくとも、一つの下部締め付け部品と、一つの可動式ホック部品と、からなる頭蓋骨固定装置であって、
前記下部締め付け部品は、一つの第一基部と、外ネジを備えた一つのボルトと、ボルト内部に設けられた一つの第一接合部と、を備え、
前記可動式ホック部品は、少なくとも、一つの上部締め付け部品と、一つのナットと、を備え、
前記上部締め付け部品は、一つの第二基部と、一つの嵌込み部と、を備え、
前記嵌込み部の内部には一つの第一枢接部が設けられ、
前記ナットは嵌込み部内に嵌め込まれるとともに、ボルトの外ネジに螺合される内ネジを備え、その上端には一つの第一固定部が設けられ、
前記ナットの外表面には前記上部締め付け部品の第一枢接部と枢接される一つの第二枢接部が設けられ、それにより、前記ナットと前記上部締め付け部品が可動ホックモジュールを形成する
ことを特徴とする頭蓋骨固定装置。
【請求項２】
前記固定装置は、排出管を挿入するのに用いられる一つの排出通路を備える
ことを特徴とする、請求項１に記載の頭蓋骨固定装置。
【請求項３】
前記第一接合部は、一つの内ネジである
ことを特徴とする、請求項１に記載の頭蓋骨固定装置。
【請求項４】
前記嵌込み部は一つのリングであるとともに、底部に通り穴が設けられた一つの凹部を備え、
前記第一枢接部は凹部の内表面が凹んでなる一つの嵌込み溝であり、
前記第二枢接部は前記第一枢接部の嵌込み溝内に嵌め込んで枢接される一つの凸状のリングである
ことを特徴とする、請求項１に記載の頭蓋骨固定装置。
【請求項５】
前記第一固定部は、ナットの上端の周縁に凹凸状が環状に設けられる構造、または、下端面に少なくとも二つの凹孔が凹設される構造である
ことを特徴とする、請求項１に記載の頭蓋骨固定装置。
【請求項６】
前記第一基部及び前記第二基部は、板状または円盤状であり、その円盤の外周縁には、間隔をあけて複数の狭い溝を形成させてなる複数の第一花弁及び複数の第二花弁を備え、
前記複数の第一花弁及び前記複数の第二花弁の厚さは、外周縁に向かって徐々に薄くなっていく
ことを特徴とする、請求項２に記載の頭蓋骨固定装置。
【請求項７】
前記排出通路には、第一接合部の内ネジがボルト及び第一基部に貫設されることで、一つの通り穴が形成される
ことを特徴とする、請求項２に記載の頭蓋骨固定装置。
【請求項８】
前記頭蓋骨固定装置は、頭骨の鑽孔の位置に取り付けることができ、
前記排出通路には、前記複数の第一花弁及び複数の第二花弁において、一つの花弁に少なくとも対応するように切り取ることによって、第一切れ込み及び第二切れ込みが形成され、
前記上部締め付け部品の嵌込み部の底部には、内切面を備えた通り穴が対応して貫設され、
前記下部締め付け部品のボルトは、内切面に対応する一つの外切面を備え、それにより、ボルトを通り穴に挿入する時、前記第一切れ込み及び前記第二切れ込みが互いに対応して配置されるようにし、また、前記頭骨の鑽孔における第一切れ込み及び第二切れ込みに対応する位置に、連通した一つの凹孔を貫設することができ、それにより、排出管を挿入して脳内の組織液を排出させることで、水が溜まりすぎて脳が押されて腫れあがって圧迫することを防止する
ことを特徴とする、請求項６に記載の頭蓋骨固定装置。
【請求項９】
前記頭蓋骨固定装置は、頭骨の鑽孔の位置に取り付けることができ、
前記排出通路は、一つの排出管を配置するために、前記第一基部及び前記第二基部の狭い溝が互いに対応するように上下に配置することでなり、
さらに、前記頭骨の鑽孔には、上下に対応した狭い溝に対応するように、連通した一つの凹孔が貫設され、
それにより、埋込み時に、二つの狭い溝の間に位置する排出管を凹孔に挿入する
ことを特徴とする、請求項６に記載の頭蓋骨固定装置。
【請求項１０】
前記狭い溝は、概ね一つの鍵穴を呈した形状であり、排出管の口径より小さい一つの開口部と、排出管の口径より大きい一つの空間確保孔を備える
ことを特徴とする、請求項９に記載の頭蓋骨固定装置。
【請求項１１】
少なくとも、一つの内ガイドレバーと、一つの外スリーブと、からなる手術道具であって、
前記内ガイドレバーの下端には一つの第二接合部が設けられ、上端にはハンドル部の下方に位置する一つの第三接合部が設けられ、
前記外スリーブには内ガイドレバーを貫設させるためのガイド孔が設けられ、且つガイド孔内部の上端には、前記内ガイドレバー第三接合部と接合される第四接合部が設けられ、
外スリーブと内ガイドレバーを、第三接合部及び第四接合部で接合させて位置決めして係止する時、前記外スリーブと前記内ガイドレバーの下端の第二接合部の間に一定の距離を保って配置させ、
前記外スリーブの下端には一つの第二固定部が設けられる
ことを特徴とする、手術道具。
【請求項１２】
第二接合部及び第三接合部は、ネジ山の方向が異なる外ネジであり、前記第二接合部は右回転外ネジであり、前記第三接合部は左回転外ネジであり、前記第四接合部は前記第三接合部の外ネジに螺合した左回転内ネジに対応して螺合される
ことを特徴とする、請求項１１に記載の手術道具。
【請求項１３】
前記第三接合部は、正円形以外のすべての形状による接合段によることができ、
前記第四接合部は、第三接合部の形状に対応して外スリーブ頂端の位置決め溝に凹設され、
前記第三接合部及び前記第四接合部は同じであり且つ正円形以外のすべての形状で設けることができ、
それにより、第三接合部を第四接合部と互いに係止して連動させる
ことを特徴とする、請求項１１に記載の手術道具。
【請求項１４】
前記第二固定部は、外スリーブの下端の周縁に凸凹がリング状に設けられる構造、または、少なくとも二つの凸柱が凸出した構造である
ことを特徴とする、請求項１１に記載の手術道具。
【請求項１５】
前記内ガイドレバーの中央には、排出管を挿入して配置させるための一つの中間通路が貫設される
ことを特徴とする、請求項１１から１４の内の一つに記載の手術道具。
【発明の詳細な説明】
【技術分野】
【０００１】
本発明は、頭蓋骨固定装置及びその手術用具に関し、特に、埋込みまたは取出しの臨床操作において、簡単且つ効果的に素早くできる頭蓋骨固定装置及びその手術用具に関する。
【背景技術】
【０００２】
頭蓋骨固定装置を例とすると、中華民国公告第Ｉ３２１４６３号「頭蓋骨の固定装置」発明特許前案のように、一つの軸受筒からなり、一つのパイプを備え、前記パイプの一端には一つの凸縁が設けられ、前記パイプの他端には一つの底板が設けられ、前記底板には一つの通り穴が設けられる。一つのボルトには、一つの頭部と、前記頭部が延伸されるとともに前記軸受筒の通り穴に貫設される一つの本体部を備える。さらに、一つのナットは、前記ボルトの本体部に螺合され且つ前記軸受筒のパイプ内に位置する。
【０００３】
前述の固定装置は、頭蓋骨を固定させ且つ患者の頭部を保護すると同時に、繰り返し使用できるという効果があるが、しかしながら、前記軸受筒は、一つのボルトと一つのナットが別々に独立したパーツであるため、挟む道具によって逐一挟み持って埋込み位置決めをすることが必要であり、特に、ボルトを埋め込んだ後、挟む道具を先に置いてから、頭蓋骨をもとの位置に戻し、それから、挟む道具を持って軸受筒のナットを逐一埋め込まなければならず、臨床における埋込み操作において非常に不便を期すだけでなく、各部品の位置決めをした後、さらに、もう一つの回転する道具を前記ナットの頂端の凹状の溝に留める必要があり、前記ナット及びボルトを回転して螺合させて下に移動させることが必要である。さらに、軸受筒と前記ボルトの頭部を動かして挟み持つ力を生じさせ、前記頭蓋骨を安定して前記頭骨上に固定させるには、各パーツの埋込み位置に一つの挟む道具が必要であり、また回転させて締め付ける時にもう一つの回転する道具に持ち直す必要があり、埋込みにしても、取出しにしても、二種類の道具を組み合わせる必要があり、そのコストが高いうえに臨床操作の工程上も非常に煩雑で不便である。
【０００４】
また、前記固定装置は主にナット頂端の複数の凹状の溝を利用して手術道具を対応した凸起に係止し、それにより、ナットとボルトを回転させて螺合させるとともに軸受筒を動かし下に押して挟んで固定させるが、手術道具は下端を利用してナット頂端の周縁に対応した凹凸の構造によって留めるに過ぎないため、留める際の安定性がよくなく、手術道具がナットを回転させて動かす時に度々外れやすいことがあり、位置決めしたところに留め直す必要があり、操作においても非常に不便である。
【０００５】
さらに、頭部の手術を経た後脳内には水が溜まりやすく、もし脳内の組織液を効果的且つ迅速に排出しなければ、水が溜まりすぎて脳が押されて腫れあがり圧迫されやすくなってしまう。しかしながら、上記の固定装置では排出構造がなく、医者がそばで鑽孔に排出管を挿入して排出させることが必要であり、相対的に手術操作の工程を増やすことになり非常に不都合である。
【０００６】
これに鑑みて、本発明者は努力と研究を積み重ね、幾度にも及ぶ試験及び改良を経て、ついに確かな実用効果を備えた本発明を公にするに至った。
【先行技術文献】
【特許文献】
【０００７】
【特許文献１】中華民国特許第Ｉ３２１４６３号明細書
【発明の概要】
【発明が解決しようとする課題】
【０００８】
それゆえに、本発明は、効果的にパーツの組立て手順を簡略化し、それにより、組立てが簡単且つ素早くできて、操作上更に便利な頭蓋骨固定装置と手術道具を提供することを主な目的とする。
【０００９】
本発明は、単一の手術道具のみで、また片手で単一のパーツを操作するだけで埋込みまたは取出しができ、効果的に操作の工程を簡略化し、埋込みでも取出しの操作においても、非常に簡単且つ迅速で便利な頭蓋骨固定装置及びその手術道具を提供することをもう一つの目的とする。
【００１０】
本発明は、排出効果を備えた頭蓋骨固定装置及びその手術用具を提供することをさらにもう一つの目的とする。
【課題を解決するための手段】
【００１１】
上記の目的及び効果を達成するため、本発明が採用する技術手段は、少なくとも、一つの下部締め付け部品と、一つの可動式ホック部品と、からなる。
【００１２】
前記下部締め付け部品は、一つの第一基部と、外ネジを備えた一つのボルトと、ボルト内部に設けられた一つの第一接合部と、からなる。前記可動式ホック部品は、少なくとも、一つの上部締め付け部品と、一つのナットと、からなる。前記上部締め付け部品は、一つの第二基部と、一つの嵌込み部と、を備え、前記嵌込み部の内部には一つの第一枢接部が設けられ、前記ナットは嵌込み部内に嵌め込まれるとともに、ボルトの外ネジに螺合された内ネジを備え、前記ナットの上端には一つの第一固定部が設けられ、前記ナットの外表面には前記上部締め付け部品の第一枢接部と枢接された一つの第二枢接部が設けられ、それにより、前記ナットが前記上部締め付け部品と可動ホックモジュールを形成するようにさせる。
【００１３】
その内、前記固定装置は、排出管を挿入するための一つの排出通路を備える。
【００１４】
その内、前記第一接合部は内ネジである。
【００１５】
その内、前記嵌込み部は一つのリングであり、一つの底部を備えるとともに、通り穴の凹部に設けられ、前記第一枢接部は、凹部の内表面が凹んでなる一つの嵌込み溝であり、前記第二枢接部は前記第一枢接部の嵌込み溝内に嵌め込んで枢接される一つの凸状のリングである。
【００１６】
本発明は、さらに、少なくとも、一つの内ガイドレバーと、一つの外スリーブと、からなる手術道具を提供する。
【００１７】
前記内ガイドレバーの下端には、一つの第二接合部が設けられ、上端には、ハンドル部の下方に位置する一つの第三接合部が設けられ、前記外スリーブには、内ガイドレバーを貫設させるのに用いられるガイド孔が設けられ、且つガイド孔内部の上端には、前記内ガイドレバー第三接合部と接合された第四接合部が設けられることで、第三接合部及び第四接合部を接合させて位置決めする時、前記外スリーブと前記内ガイドレバーの下端の第二接合部の間に一定の距離を保って外スリーブと内ガイドレバーを、配置させることができる。前記外スリーブの下端には一つの第二固定部が設けられる。
【００１８】
その内、その第二接合部及び第三接合部は、ネジ山の方向が異なる外ネジであり、前記第二接合部は右回転の外ネジであり、前記第三接合部は左回転の外ネジであり、前記第四接合部は前記第三接合部の外ネジに螺合した左回転内ネジに対応して螺合される。
【００１９】
その内、前記第三接合部は、正円形以外のすべての形状による接合段にすることができ、前記第四接合部は、第三接合部の形状に対応して外スリーブ頂端に凹設される位置決め溝であり、前記第三接合部及び前記第四接合部は同じであり且つ正円形以外のすべての形状で設けることができ、それにより、第三接合部及び第四接合部を互いに係止して連動させることができる。
【発明の効果】
【００２０】
これによって、本発明の上部締め付け部品及びナットは枢接されて単一の可動式ホック部品を形成することで、可動式ホック部品と外スリーブ全体を位置決めして係止しやすくなり、且つ外スリーブが内ガイドレバー上端に位置決めして接合される時、前記可動式ホック部品を、頭骨外表面と一定の距離をおいて配置することが可能であり、頭蓋骨を埋め込んで元の位置に戻しやすくすることができる。また、埋込み道具は単一の手術道具しか必要でなく、且つ内ガイドレバーの上下端を逆方向のネジ山を呈して設計することで、操作時に片手で単一パーツを握るだけで、外スリーブを順方向または逆方向に回転させて上下に移動させることができ、埋込み取付けまたは取出しの操作が更に迅速且つ便利になり、実用性が高いという効果があり、それにより、従来の技術で不足していた点を改善することができる。
【図面の簡単な説明】
【００２１】
【図１】本発明の分解概略図である。
【図２】本発明の可動式ホック部品の断面概略図である。
【図３】本発明の固定装置及び手術道具を組み立てた状態を示した概略図である。
【図４】本発明の固定装置及び手術道具を組み立てた状態を示す立体概略図である。
【図５】本発明の図４を頭骨の鑽孔内に埋め込んだ状態を示す立体操作概略図である。
【図６】本発明の図５を頭蓋骨に埋め込み元の状態に戻し外スリーブを回転させて下に移動させる操作を示した概略図である。
【図７】本発明の図６の外スリーブを回転させ続けてナット及び上部締め付け部品を動かし下に移動させて挟んで締め付ける操作を示した概略図である。
【図８】本発明の図７の外スリーブを上に移動させ内ガイドレバーと螺合させた後引き続きガイドレバーを回転させボルトから取り出す操作を示した概略図である。
【図９】本発明の図８の手術道具全体を取り出した状態を示す立体概略図である。
【図１０】本発明の第三、四接合部をもう一つの実施例に接合した状態を示す一つの概略図である。
【図１１】本発明の第三、四接合部をもう一つの実施例２に接合した状態を示す概略図である。
【図１２】本発明の排出管を接合した状態を示す概略図である。
【図１３】本発明の上部締め付け部品及び下部締め付け部品を接合した状態を示すもう一つの実施例の概略図である。
【図１４】本発明図１３の排出管を接合した状態を示す概略図である。
【図１５】本発明の排出管を内ガイドレバーに貫設した状態を示す概略図である。
【図１６】本発明の排出管を狭い溝に挿入して空間確保をした状態を示す立体図である。
【図１７】本発明の図１６の平面概略図である。
【発明を実施するための形態】
【００２２】
図１から図４を参照する。図１から図４は、本発明による頭蓋骨固定装置Ａ及びその手術道具Ｂである。
【００２３】
その内、頭蓋骨固定装置Ａは、少なくとも、一つの下部締め付け部品１０と、一つの可動式ホック部品２０と、からなる。
【００２４】
前記下部締め付け部品１０は、一つの第一基部１１と、外ネジを備えた一つのボルト１２と、ボルト１２内部に設けられた一つの第一接合部１３と、を備える。前記第一基部１１は板状または円盤状であり、その円盤の外周縁は、間隔をあけて複数の狭い溝１１１を形成させてなる複数の第一花弁１１２を備え、前記複数の第一花弁１１２の厚さは外周縁に向かって徐々に薄くなっていき、それにより、頭骨７０及び頭蓋骨７２に嵌め入れやすくして、しっかりと挟んで固定させることができるようになる。前記第一接合部１３は内ネジである。
【００２５】
前記可動式ホック部品２０は、少なくとも、一つの上部締め付け部品３０と、ボルト１２の外ネジと螺合させることができる一つのナット４０と、を備える。前記上部締め付け部品３０は、一つの第二基部３１と、一つの嵌込み部３２と、を備え、前記嵌込み部３２の内部には一つの第一枢接部３２１が設けられる。前記第二基部３１は、板状または円盤状であり、その円盤の外周縁は、間隔をあけて複数の狭い溝３１１を形成させてなる複数の第二花弁３１２を備え、前記複数の第二花弁３１２の厚さは外周縁に向かって徐々に薄くなっていき、それにより、頭骨７０及び頭蓋骨７２に嵌め入れて、しっかりと挟んで固定させやすくなる。前記嵌込み部３２は一つのリングであるとともに、底部に通り穴が設けられた一つの凹部３２２を備え、前記第一枢接部３２１は、凹部３２２の内表面が凹んで成る嵌込み溝である。前記ナット４０は、嵌込み部３２の凹部３２２内に挿入され、前記ナット４０はボルト１２外ネジと螺合する内ネジを備え、その上端には一つの第一固定部４２が設けられ、前記第一固定部４２は手術道具Ｂと互いに接合される。好ましくは、前記第一固定部４２は、ナット１２の上端の周縁に凹凸状が環状に設けられる構造、または下端面に少なくとも二つの凹孔が凹設される構造であり（図示せず）、前記ナット４０の外表面には、上部締め付け部品３０の第一枢接部３２１と枢接される一つの第二枢接部４１が設けられる。本実施例において、前記第二枢接部４１は、第一枢接部３２１の嵌込み溝内に嵌め込んで枢接される一つの凸状のリングであり、それにより、ナット４０及び上部締め付け部品３０が可動式ホックモジュールを形成する。以上は、図２を参照する。
【００２６】
手術道具Ｂは、少なくとも、一つの内ガイドレバー５０と、一つの外スリーブ６０と、からなる。
【００２７】
前記内ガイドレバー５０については、その下端には、頭蓋骨固定装置Ａのボルト１２の内部の第一接合部１３と接合された一つの第二接合部５１が設けられ、前記第二接合部５１は、第一接合部１３の内ネジに螺合される外ネジであり、または、第一接合部１３は内ガイドレバー５０の下端に一つの位置決め凸起が凸設され、それに対応して、第二接合部５１におけるボルト１２には、一つのＬ形の位置決め溝を備えた接合孔が設けられ、接合孔はそこに挿入して回転させて位置決めするのに用いられる（図示せず）。前記内ガイドレバー５０の上端には一つのハンドル部５２を備え、ハンドル部５２の下方には、一つの第三接合部５３を備え、前記第三接合部５３は外ネジであるのが好ましい。
【００２８】
前記外スリーブ６０は、内ガイドレバー５０を貫設させるためのガイド孔６１を備え、且つガイド孔６１内部の上端には、前記内ガイドレバー５０第三接合部５３と接合された第四接合部６２が設けられることで、前記外スリーブ６０を前記内ガイドレバー５０に接合して位置決めをし、それにより、前記外スリーブ６０と前記内ガイドレバー５０第二接合部５１の間に一定の距離Ｘを設け、前記第四接合部６２は、前記第三接合部５３の外ネジに対応して螺合される内ネジであり、前記第二接合部５１のネジ山の方向は、第三接合部５３及び第四接合部６２のネジ山の方向と異なる。前記第二接合部５１は右回転のネジ山であり、前記第三接合部５３及び第四接合部６２は左回転のネジ山であるのが好ましい。前記外スリーブ６０の下端には、一つの第二固定部６３が設けられ、前記第二固定部６３における外スリーブ６０の下端の周縁には、第一固定部４２凹凸状に対応する凸凹状が設けられ、係止することでナット４０に連動する、または、外スリーブ６０の下端面には、第一固定部４２の凹設された二つの凹孔に対応する二つの凸柱が凸出して設けられ、係止することでナット４０に連動する（図示せず）。
【００２９】
図１０及び図１１を参照する。図１０及び図１１は、第三接合部及び第四接合部のもう一つの実施例の概略図である。本実施例において、前記内ガイドレバー５０の第三接合部５３Ａは、正円形以外のすべての形の接合段にすることができ、前記外スリーブ６０の第四接合部６２Ａは、第三接合部５３Ａの形状に対応して外スリーブ６０頂端に凹設される位置決め溝であり、図に示すように一の字形または長方形であり、即ち前記第三接合部５３Ａと前記第四接合部６２Ａは、同じ形状であり且つ正円形以外のすべての形であることができ、それにより、第三接合部５３Ａと第四接合部６２Ａを互いに係止して連動させることができる。また前記ハンドル部５２Ａは、第三接合部の形状と同じにすることができ、また前記第三接合部５３Ａは直接ハンドル部５２Ａを延伸させることによって形成することができる。
【００３０】
図４から図９を参照する。図４から図９は、本発明の頭蓋骨固定装置Ａ及び手術道具Ｂの組立て及び埋込みの操作を示した概略図である。本実施例において、図４が示すように、内ガイドレバー５０を外スリーブ６０及び可動式ホック部品２０に貫設させるとともに、下端の第二接合部５１をボルト１２内の第一接合部１３と螺合させ、且つ前記外スリーブ６０における上端の第四接合部６２を内ガイドレバー５０上端の第三接合部５３に螺合して位置決めするだけで、可動式ホック部品２０は、ナット４０上端の第一固定部４２と外スリーブ６０の下端の第二固定部６３が互いに係止して位置決めされ、それにより、前記頭蓋骨固定装置Ａ及び手術道具Ｂが連結し位置決めされて一つの全体としてのモジュールを形成する。図５が示すように、前記固定装置Ａ及び手術道具Ｂを頭骨７０の鑽孔７１の位置に直接同時に共に埋め込むことができる。また図６が示すように、前記外スリーブ６０及び内ガイドレバー５０の第二接合部５１の間には一定の距離Ｘが設けられ、それにより、外スリーブ６０が可動式ホック部品２０に接合される時、前記可動式ホック部品２０及び頭骨７０の外表面の間も一定の十分な距離を保って配置することができ、頭蓋骨７２を元の位置に戻しやすくなる。さらに、図６及び図７が示すように、前記頭蓋骨７２をかぶせた後、外スリーブ６０を回転させ下に移動させ、下端の第二固定部６３を利用してナット４０の第一固定部４２７と係止させて連動させ、それにより、外スリーブ６０を回転させるとナット４０が連動してボルト１２と螺合されて下に移動し、それに連動して上部締め付け部品３０及び下部締め付け部品１０が締め付けられて挟む力を生じさせることができ、しいては、頭蓋骨７２を効果的に頭骨７０に安定して挟んで位置決めすることができる。さらに図８が示すように、外スリーブ６０を上に移動させて反対に回転させると、第四接合部６２と内ガイドレバー５０の第三接合部５３が螺合され、回転させ続けると、内ガイドレバー５０の下端の第二接合部５１がボルト１２の第一接合部１３内の螺孔から外れて上へと移動させることができ、それにより、手術道具Ｂを頭蓋骨固定装置Ａから素早く取り出すことができる。図９が示すように、反対に、頭蓋骨固定装置Ａまたは頭蓋骨７２を取り出す必要がある場合、反対の操作をするだけで固定装置Ａを頭骨７０から取り出すことができ、本発明において、埋込み操作にしても、取出し操作にしてもいずれも非常に速くて便利である。
【００３１】
本発明が提供する頭蓋骨固定装置Ａ及び手術道具Ｂは、他の従来の技術と比較すると、以下のようなメリットがある。
【００３２】
１、本発明ナット４０及び上部締め付け部品３０は、枢接されて一つの可動式ホック部品２０を形成し、相対的にパーツの組み立て工程を簡略化することができ、且つ頭蓋骨固定装置Ａ及び手術道具Ｂを先に連結させて一つの全体としてのモジュールとして形成するため、何も道具が必要ではなく、頭蓋骨固定装置Ａ及び手術道具Ｂの全体の組合件を共に直接埋め込みやすく、相対的に埋込み操作が非常に簡単かつ素早くでき、それにより、従来の方式によって挟む道具を利用して装置を固定して、各パーツに分解して逐一挟んで固定し埋込みをする、操作における不便という欠点を克服することができる。
【００３３】
２、本発明の外スリーブ６０を内ガイドレバー５０上端に螺合して位置決めする時、その外スリーブ６０と内ガイドレバー５０の第二接合部５１の間に一定の距離Ｘを設け、さらに前記ナット４０及び上部締め付け部品３０は枢接されて一つの可動式ホック部品２０を形成させることによって、可動式ホック部品２０全体を位置決めして外スリーブ６０に接合させることができ、且つ一定の距離Ｘは、前記可動式ホック部品２０と頭骨７０の外表面の間に一定の距離を保って配置され十分な空間を保つようにすることで、頭蓋骨７２を埋め込んで元の状態に戻しやすくなる。
【００３４】
３、本発明の内ガイドレバー５０下端の第二固定部５１及び上端第三接合部５３は逆向きのネジ山の配置であるため、締め付ける時片手で回転させて単一の外スリーブ６０を移動させるだけで、上部締め付け部品３０及び下部締め付け部品１０が、前記頭蓋骨７２及び前記頭骨７０を締め付けて、しっかりと挟んで元の位置で固定させることができる。さらに手術道具Ｂを取り出す必要がある時、外スリーブ６０を上に移動させて反対に回転させるだけで、頭蓋骨固定装置Ａから取り出すことができる。本発明は、片手で単一パーツである前記外スリーブ６０を持って操作するだけで、頭蓋骨固定装置Ａで締め付けて、手術道具Ｂを素早く円滑に取り出すことができるという利便性を達成することができる。また頭蓋骨固定装置Ａを取り出す必要がある時、反対の操作をするだけで行うことができる。埋め込んで取り付けるにしても、または取り出す操作にしても、本発明は、単一の手術道具を片手でパーツを持つだけで達成することができ、臨床操作上非常に迅速であり、従来の挟む道具と締め付ける道具の二種類の道具に存在したコストが高く操作が煩雑でしにくいという欠点を克服することができる。
【００３５】
４、本発明の外スリーブ６０は、下端の第二固定部６３及びナット４０の第一固定部４２に係止して位置決めされるだけでなく、前記外スリーブ６０は、前記内ガイドレバー５０のガイド孔６１上にかぶせて設けられるため、更に内ガイドレバー５０はガイドを支え、相対的に外スリーブ６０の回転の安定性を高めることができ、脱落するおそれがなく、スリーブ６０がナット４０から外れやすく、再び位置決めして係止しなければいけないという不都合をなくすことができる。
【００３６】
５、本発明は、上部締め付け部品を鑽孔７１にかぶせることによって、締め付けた時にナット４０及びボルト１２を回転させて螺合させるだけで、上部締め付け部品３０が回転して頭骨７０及び頭蓋骨７２の外表面を傷つけるのを防止することができ、それにより、頭蓋骨を元の位置に固定できるとともに、患者の頭部を保護すると同時に、何度も使用できるという効果がある。
【００３７】
図１２を参照する。本発明の固定装置Ａには、一つの排出通路Ｙ１が設けられる。前記排出通路Ｙ１には、前記第一接合部１３の内ネジが第一基部１１に達するまで貫設され一つの通り穴１３１が形成され、それにより、一本の排出管８０を挿入して腦内の組織液を排出させることで、水が溜まりすぎて脳が押されて腫れあがって圧迫されることを防止することができる。
【００３８】
図１３及び図１４を参照する。図１３及び図１４は、前記頭蓋骨固定装置Ａに設けられた排出通路のもう一つの実施例である。前記頭蓋骨固定装置Ａは、頭骨７０の鑽孔７１の位置に取り付けることができ、前記排出通路Ｙ２は、前記上部締め付け部品３０の複数の第一花弁３１２及び下部締め付け部品１０の複数の第二花弁１１２において、一つの花弁に少なくとも対応するように切り取ることよって、一つの第一切れ込み３１３及び一つの第二切れ込み１１３が形成され、前記上部締め付け部品３０の嵌込み部３２の底部には、内切面３２４を備えた一つの通り穴３２３が設けられ、前記下部締め付け部品１０のボルト１２は、内切面３２４に対応する一つの外切面１２１を備え、それにより、ボルト１２を通り穴３２３に挿入する時、前記第一切れ込み３１３及び前記第二切れ込み１１３が互いに対応して配置されるようにする。また頭骨７０の鑽孔７１における第一切れ込み３１３及び第二切れ込み１１３に対応する位置に、連通した一つの凹孔７１１を貫設することができ、それにより、上下に貫通した第一切れ込み３１３及び凹孔７１１及び第二切れ込み１１３に、一つの排出管８０を挿入して脳内の組織液を排出させることで、水が溜まりすぎて脳が押されて腫れあがり圧迫されることを防止することができる。
【００３９】
図１５を参照する。本発明は、さらに、前記内ガイドレバー５０の中央に一つの中間通路５４が貫設され、前記頭蓋骨固定装置Ａには上記と同じ一つの排出通路Ｙ１が設けられ、前記排出通路Ｙ１には、前記第一接合部１３の内ネジが第一基部１１に達するまで貫設して一つの通り穴１３１が形成され、それにより、内ガイドレバー５０の第二接合部の外ネジ５１と、ボルト１２の第一接合部の内ネジ１３が螺合した時、前記中間通路５４が排出通路Ｙ１と対応して連通する。それにより、一本の排出管８０を挿入し埋め込んで脳内の組織液を排出させることで、水が溜まりすぎて脳が押されて腫れあがり圧迫されることを防止することができる。
【００４０】
図１６及び図１７を参照する。前記頭蓋骨固定装置Ａは、頭骨７０の鑽孔７１の位置に取り付けることができ、前記頭蓋骨固定装置Ａには一つの排出通路Ｙ３が設けられ、前記排出通路Ｙ３は、排出管８０を挿入するため、前記第一基部１１及び前記第二基部３１の狭い溝１１１、３１１を互いに対応するように上下に配置することでなる。また前記頭骨７０の鑽孔７１には、上下に対応した狭い溝１１１、３１１に対応するように、連通した一つの凹孔７１１が貫設され、それにより、埋込み時に、二つの狭い溝１１１、３１１の間に位置する排出管を凹孔７１１に挿入することができる。それにより、排出管８０が脳内の組織液を排出させることで、水が溜まりすぎて脳が押されて腫れあがり圧迫することを防止することができる。また前記の狭い溝１１１、３１１は、概ね一つの鍵穴状を呈した形状であるとともに、排出管８０の口径よりも小さい一つの開口部１１４、３１４と、排出管８０の口径よりも小さい一つの空間確保孔１１５、３１５とが設けられ、それにより、排出管８０を挿入して位置決めすることができる。
【００４１】
前述したことをまとめると、本発明の頭蓋骨固定装置及びその手術用具は、上部締め付け部品及びナットを枢接してなる単一の可動式ホック部品を利用することができ、また、埋込み道具は単一の手術道具だけで、且つ内ガイドレバーの上下が逆方向のネジ山を呈するように設計することで、操作時に単一部品である外スリーブを握って順方向及び逆方向に回転させ、さらに上下に移動させるだけで、埋込み取付けまたは取出しをすることが可能であり、操作を更に迅速かつ便利にできるという実用性があり、一つの技術構想上の高度な創作であり、特許申請の要求に沿ったものである。以上の好ましい具体実施例の詳しい記述は、本発明の特徴及び精神について更に明確に説明するためであり、上記において示した好ましい具体実施例によって本発明の範囲に制限を加えるものではない。反対に、その目的は、各種変更及び相等性を備える構想も本発明が申請しようとする特許の保護範囲に含ませることである。
【符号の説明】
【００４２】
Ａ    頭蓋骨固定装置          
Ｂ    手術道具
１０    下部締め付け部品              
１１    第一基部            
１２    ボルト                  
１３    第一接合部          
１１１    狭い溝
３１１    狭い溝        
１１２    第一花弁
１１３    第二切れ込み            
１１４    開口部
３１４    開口部    
１１５    空間確保孔
３１５    空間確保孔      
１２１    外切面
１３１    通り穴              
２０    可動式ホック部品          
３０    上部締め付け部品              
３１    第二基部
３１２    第二花弁            
３１３    第一切れ込み
３２    嵌込み部                
３２１    第一枢接部
３２２    凹部                
３２３    通り穴              
３２４    内切面              
４０    ナット
４１    第二枢接部              
４２    第一固定部          
５０    内ガイドレバー              
５１    第二接合部          
５２    ハンドル部
５２Ａ    ハンドル部        
５３    第三接合部
５３Ａ    第三接合部  
５４    中間通路              
６０    外スリーブ              
６１    ガイド孔                
６２    第四接合部  
６２Ａ    第四接合部  
６３    第二固定部            
７０    頭骨                
７１    鑽孔                  
７１１    凹孔
７２    頭蓋骨                
Ｘ    一定の距離              
Ｙ１    排出通路
Ｙ２    排出通路
Ｙ３    排出通路  
８０    排出管
【図１】
2018171442.tif 000003
【図２】
2018171442.tif 000004
【図３】
2018171442.tif 000005
【図４】
2018171442.tif 000006
【図５】
2018171442.tif 000007
【図６】
2018171442.tif 000008
【図７】
2018171442.tif 000009
【図８】
2018171442.tif 000010
【図９】
2018171442.tif 000011
【図１０】
2018171442.tif 000012
【図１１】
2018171442.tif 000013
【図１２】
2018171442.tif 000014
【図１３】
2018171442.tif 000015
【図１４】
2018171442.tif 000016
【図１５】
2018171442.tif 000017
【図１６】
2018171442.tif 000018
【図１７】
2018171442.tif 000019